(57)【要約】【課題】保守員が乗かごまで出向くことなく、また保守員が持参するような専用の動作試験装置を要することなく、高音声検出装置が正常に動作するか否か診断することができるエレベータの高音声検出装置の診断装置の提供。【解決手段】本発明は、乗かご１で生じる音声の音量が所定値を超えたことを検出する高音声検出装置２が、正常に動作するか否か診断するエレベータの高音声検出装置の診断装置において、乗かご１内に所定値を超えた音量の音を発生させる音声案内装置３及びスピーカ４を含む音量発生部と、この音量発生部から所定値を超えた音量を発生させるように、音量発生部を制御する音量制御部６ｂとを備えている。エレベータはパーキングスイッチ５を備え、音量制御部６ｂはパーキングスイッチ５から出力される信号に基づいて、音量発生部を制御する。【選択図】図１
2016088699.tif 000002
【特許請求の範囲】
【請求項１】
乗かご内で生じる音の音量が所定値を超えたことを検出する高音声検出装置が、正常に動作するか否か診断するエレベータの高音声検出装置の診断装置において、
前記乗かご内に前記所定値を超えた音量の音を発生させる音量発生部と、この音量発生部から前記所定値を超えた音量の音を発生させるように、前記音量発生部を制御する音量制御部とを備えたことを特徴とするエレベータの高音声検出装置の診断装置。
【請求項２】
請求項１に記載のエレベータの高音声検出装置の診断装置において、
前記エレベータはパーキングスイッチを備え、前記音量制御部は前記パーキングスイッチから出力される信号に基づいて、前記音量発生部を制御することを特徴とするエレベータの高音声検出装置の診断装置。
【請求項３】
請求項２に記載のエレベータの高音声検出装置の診断装置において、
前記高音声検出装置の診断中は、前記高音声検出装置の動作に基づいて行われる防犯運転を無効とするように制御する無効制御部を備えたことを特徴とするエレベータの高音声検出装置の診断装置。
【請求項４】
請求項３に記載のエレベータの高音声検出装置の診断装置において、
前記高音声検出装置の診断で当該高音声検出装置に異常が生じているとき、異常通報を出力する通報部と、前記エレベータを遠隔的に監視し、前記通報部から送信される異常通報を受信する監視センタとを備えたことを特徴とするエレベータの高音声検出装置の診断装置。
【請求項５】
請求項１〜４のいずれか１項に記載のエレベータの高音声検出装置の診断装置において、
前記音量発生部は、前記乗かごに設けられる音声発生部と、この音声発生部で作成した音声を前記乗かご内に放送するスピーカとを含むことを特徴とするエレベータの高音声検出装置の診断装置。
【発明の詳細な説明】
【技術分野】
【０００１】
本発明は、乗かご内で生じる音の音量が所定値を超えたことを検出する高音声検出装置が正常に動作するか否かを診断するエレベータの高音声検出装置の診断装置に関する。
【背景技術】
【０００２】
一般に、エレベータの乗かごは、かごドアを閉じたときに密室状態となるため、乗かご内で異常者が女性にいたずらや乱暴を行うなどの犯罪が生じる虞がある。このような犯罪を防止するために、乗かご内で生じる音の音量が、例えば９０ｄＢ程度の所定値を超えたことを検出する高音声検出装置が付加仕様として準備されている。
【０００３】
前述した高音声検出装置が乗かごに設けられた場合には、乗かご内で女性が叫んだ場合や、子供の防犯ブザーが鳴動した場合、乗かご内の音の音量が所定値を超えたことが高音声検出装置で検出される。この高音声検出装置の検出動作に基づいて、乗かごを直ちに最寄り階に停止させ、かごドア及び乗場ドアを所定時間、開放して待機状態とすることが行われる。このように高音声検出装置は、防犯運転に活用されるものである。
【０００４】
このような高音声検出装置が正常に動作するか否かを診断する動作試験装置が特許文献１に開示されている。この特許文献１に開示された従来技術は、保守員が乗かご内に動作試験装置を持ち込み、高音声検出装置のほぼ真下に置いて動作試験、すなわち診断が行われるようになっている。なお、このような高音声検出装置の動作試験は、通常、数か月に１回とか、１年に１回とかのように定期的に行われている。
【先行技術文献】
【特許文献】
【０００５】
【特許文献１】特開平９−１０１１９８号公報
【発明の概要】
【発明が解決しようとする課題】
【０００６】
前述した特許文献１に開示された従来技術は、保守員がエレベータの乗かごまで出向いて高音声検出装置の動作試験を行わなければならず、動作試験に要する時間が長くなる問題があった。このため、エレベータの利用者がエレベータを利用できなくなる時間が長くなり、エレベータの利用者に対するサービス性が低下しやすかった。
【０００７】
また、前述した従来技術は、高音声検出装置の動作試験に際し、保守員が持参する専用の動作試験装置が必要であり、この専用の動作試験装置のためのコスト、及び乗かごまでの運搬に掛かる負担が大きかった。
【０００８】
本発明は、前述した従来技術における実情からなされたもので、その目的は、保守員が乗かごまで出向くことなく、また保守員が持参するような専用の動作試験装置を要することなく、高音声検出装置が正常に動作するか否か診断することができるエレベータの高音声検出装置の診断装置を提供することにある。
【課題を解決するための手段】
【０００９】
前記目的を達成するために、本発明に係るエレベータの高音声検出装置の診断装置は、乗かご内で生じる音の音量が所定値を超えたことを検出する高音声検出装置が、正常に動作するか否か診断するエレベータの高音声検出装置の診断装置において、前記乗かご内に前記所定値を超えた音量の音を発生させる音量発生部と、この音量発生部から前記所定値を超えた音量を発生させるように、前記音量発生部を制御する音量制御部とを備えたことを特徴としている。
【発明の効果】
【００１０】
本発明に係るエレベータの高音声検出装置の診断装置は、音量制御部で音量発生部を制御して、乗かご内に所定値を超えた音量の音を発生させるようにしたことから、保守員が乗かごまで出向くことなく、また保守員が持参するような専用の動作試験装置を要することなく、高音声検出装置が正常に動作するか否か診断することができる。すなわち本発明は、エレベータの休止解除時等を利用して自動的に高音声検出装置の診断を行うことが可能になる。したがって本発明は、エレベータを特別に停止させることなく高音声検出装置の診断を行うことができ、エレベータの利用者に対するサービス性を従来に比べて向上させることができる。また本発明は、専用の動作試験装置を要することなく高音声検出装置の診断を自動的に行うことができるので、従来のような専用の動作試験装置に関係するコスト、及び運搬に伴う負担を除くことができ、優れた経済性を確保できるとともに、保守員の労力を軽減させることができる。
【図面の簡単な説明】
【００１１】
【図１】本発明に係るエレベータの高音声検出装置の診断装置の一実施形態の構成を示す図である。
【図２】本実施形態の制御装置における処理手順を示すフローチャートである。
【発明を実施するための形態】
【００１２】
以下、本発明に係るエレベータの高音声検出装置の診断装置の実施の形態を図面に基づいて説明する。
【００１３】
図１は、本発明に係るエレベータの高音声検出装置の診断装置の一実施形態の構成を示す図である。
【００１４】
この図１に示すように、本実施形態に係る診断装置が備えられるエレベータは、乗かご１に、この乗かご１内で生じる音の音量が所定値、例えば９０ｄＢを超えたことを検出する高音声検出装置２を備えている。この高音声検出装置２で９０ｄＢを超えた音量の音が検出されると、前述したように乗かご１が最寄り階に停止し、かごドア及び乗場ドアを開放する防犯運転が行われる。
【００１５】
前述した高音声検出装置２が正常に動作するか否か診断する本実施形態に係る診断装置は、乗かご１内に前述した９０ｄＢを超えた音量の音を発生させる音量発生部と、この音量発生部から９０ｄＢを超えた音量の音を発生させるように、前述した音量発生部を制御する音量制御部６ｂとを備えている。
【００１６】
図１に示すエレベータは、パーキングスイッチ５を備え、音量制御部６ｂは、パーキングスイッチ５から出力される信号に基づいて、前述した音量発生部を制御する。パーキングスイッチ５は周知のものであり、例えば、夜間等エレベータを利用しない場合には、管理人等によって休止側に切り替えられ、これによってエレベータは休止する。なお、翌朝等にエレベータの運転を再開させる場合には、このパーキングスイッチ５が運転側に切り替えられ、これによってエレベータは平常運転に復帰する。
【００１７】
また本実施形態は、高音声検出装置２が正常に動作するか否かの診断中は、高音声検出装置２の動作に基づいて行われる前述した防犯運転、すなわち乗かご１を最寄り階に停止させ、かごドア及び乗場ドアを開放状態とすることを無効とするように制御する無効制御部６ｃを備えている。
【００１８】
また本実施形態は、高音声検出装置２の診断で高音声検出装置２に異常が生じているとき、異常通報を出力する通報部６ｄと、エレベータを遠隔的に監視し、通報部６ｄから電話回線７を介して送信される異常通報を受信する監視センタ８とを備えている。
【００１９】
前述した音量発生部は、乗かご１に設けられる音声案内装置３と、この音声案内装置３で作成した音声を乗かご１内に放送するスピーカ４とを含んでいる。
【００２０】
前述した音量制御部６ｂ、無効制御部６ｃ、及び通報部６ｄは、例えば高音声検出装置２及び音声案内装置３に接続される制御装置６に含ませてある。なお、この制御装置６は、高音声検出装置２が正常に動作するか否か判断する判断部６ａも含んでいる。
【００２１】
以下、前述のように構成した本実施形態に係るエレベータの高音声検出装置の診断装置における処理動作を、図２に基づいて説明する。
【００２２】
この図２のステップＳ１に示すように、管理人等が、パーキングスイッチ５を操作してエレベータを休止状態から平常運転に復帰させると、ステップＳ２に示すように、制御装置６の無効制御部６ｃは、通常機能である高音声検出装置２の動作による最寄り階停止、ドア開待機運転機能を一旦無効にする。
【００２３】
次にステップＳ３に進み、制御装置６の音量制御部６ｂは、音量案内装置３を動作させ、スピーカ４から高音声検出装置２が動作するレベルの音量の所定値、例えば９０ｄＢの音声で「ピー！」「平常運転に復帰します。」等のアナウンスを放送させる。
【００２４】
なお本実施形態では、所定値を超えた音量の音を発生させる音量発生部を、音声案内装置３とスピーカ４とによって構成したが、この音量発生部を音声案内装置３の音声とは異なる他の音を発生させる手段、例えばブザーを鳴動させる警報部等によって構成してもよい。
【００２５】
次にステップＳ４に進み、高音声検出装置２から出力される信号に基づいて、制御装置４に含まれる判断部６ａで高音声検出装置２が正常に動作したかどうか判断される。
【００２６】
このステップＳ４で、判断部６ａによって高音声検出装置２が正常に動作したと判断されたときにはステップＳ５に進み、無効制御部６ｃによって無効としていた高音声検出装置２の動作による最寄り階停止、ドア開放待機運転機能を有効に復帰させて、処理を終了する。
【００２７】
また、ステップＳ４の判断部６ａで、高音声検出装置２が正常に動作していないと判断されたときには、ステップＳ６に示すように、この時点で高音声検出装置２の故障が検出される。
【００２８】
これに応じて手順Ｓ７に示すように、制御装置６の通報部６ｄから電話回線７を介して当該エレベータを遠隔的に監視する監視センタ８に異常通報、すなわち高音声検出装置２に故障を生じている旨の通報が送信される。
【００２９】
したがって、監視センタ８において、現在乗かご１に設置されている高音声検出装置２の保守点検が必要なことを、あるいは新しい高音声検出装置２への交換が必要であることを把握することができる。いずれの場合でも、監視センタ８からの指示により、保守員を故障を生じている高音声検出装置２が備えられている乗かご１に派遣して、迅速に対応することができる。
【００３０】
本実施形態に係るエレベータの高音声検出装置の診断装置によれば、音量制御部６ｂで音声案内装置３を制御して、乗かご１内に所定値を超えた音量の音を発生させるようにしたことから、保守員が乗かご１まで出向くことなく、また保守員が持参するような専用の動作試験装置を要することなく、高音声検出装置２が正常に動作するか否か診断することができる。
【００３１】
すなわち本実施形態は、パーキングスイッチ５の解除時に、すなわちエレベータの休止解除時等を利用して、自動的に高音声検出装置２の診断を行うことができる。したがって本実施形態は、エレベータを特別に停止させることなく高音声検出装置２の診断を行うことができ、エレベータの利用者に対するサービス性を向上させることができる。
【００３２】
また本実施形態は、前述のように専用の動作試験装置を要することなく高音声検出装置の診断を自動的に行うことができるので、専用の動作試験装置に関係するコスト、及び運搬に伴う負担を除くことができ、優れた経済性を確保できるとともに、保守員の労力を軽減させることができる。
【符号の説明】
【００３３】
１    乗かご
２    高音声検出装置
３    音声案内装置（音量発生部）
４    スピーカ（音量発生部）
５    パーキングスイッチ
６    制御装置
６ａ  判断部
６ｂ  音量制御部
６ｃ  無効制御部
６ｄ  通報部
７    電話回線
８    監視センタ
【図１】
2016088699.tif 000003
【図２】
2016088699.tif 000004